Podtech/llm-jp-corpus-v4-ja_patent huggingface dataset:
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
車両の冷却水の流量を制御するバルブ装置であって、
バルブ（１）と、
前記バルブ（１）を内側に収容するハウジング（３）と、
前記バルブと一体に回動するシャフト（１４）と、を備え、
前記バルブは、冷却水が流出入する内部空間、および、この内部空間を前記バルブの外部に開く複数のバルブ開口を有し、
前記ハウジングは、冷却水が流通可能なシート開口を有し、
前記複数のバルブ開口の内、特定のバルブ開口は、前記バルブが前記シャフトの周囲に回動することで前記シート開口と連通し、
前記複数のバルブ開口の内、別のバルブ開口は、当該バルブの回動軸方向に向かって開口し、
前記バルブにおいて前記内部空間を囲む内壁面は、前記別のバルブ開口と前記回動軸方向に対向する領域において前記別のバルブ開口に向かって凸となる凸部を有し、前記凸部は、前記別のバルブ開口に近づくほど前記シャフトの回転の軸心に近づく斜面を含むことを特徴とするバルブ装置。
【請求項２】
前記斜面は、前記シャフトの回転の軸心の周囲の内、少なくとも前記特定のバルブ開口が存在する方位に設けられていることを特徴とする請求項１に記載のバルブ装置。
【請求項３】
前記凸部は、前記特定のバルブ開口と前記シャフトが設けられている部分とを接続するように形成されていることを特徴とする請求項１または２に記載のバルブ装置。
【請求項４】
前記凸部は、前記内壁面の内前記別のバルブ開口から前記回動軸方向に最も離れている底部と、前記シャフトが設けられている部分とを、接続するように、形成されていることを特徴とする請求項１ないし３のいずれか１つに記載のバルブ装置。
【請求項５】
前記斜面と前記特定のバルブ開口は、前記回動方向の位置が重なるように配置されていることを特徴とする請求項１ないし４のいずれか１つに記載のバルブ装置。
【請求項６】
冷却水は、前記別のバルブ開口を通って前記内部空間に流入し、前記内部空間から前記特定のバルブ開口を通って流出することを特徴とする請求項５に記載のバルブ装置。
【請求項７】
前記複数のバルブ開口は、前記特定のバルブ開口でも前記別のバルブ開口でもない他のバルブ開口を有し、
前記他のバルブ開口は、前記回動軸を基準として前記特定のバルブ開口とは異なる方位に設けられ、
前記斜面は、前記特定のバルブ開口に接していると共に前記他のバルブ開口から離れていることを特徴とする請求項１ないし６のいずれか１つに記載のバルブ装置。
【請求項８】
前記複数のバルブ開口は、前記特定のバルブ開口でも前記別のバルブ開口でもない他のバルブ開口を有し、
前記回動軸に沿った前記別のバルブ開口から前記他のバルブ開口までの距離は、前記回動軸に沿った前記別のバルブ開口から前記特定のバルブ開口までの距離よりも短く、
前記斜面は、前記特定のバルブ開口に接していると共に前記他のバルブ開口から離れていることを特徴とする請求項１ないし７のいずれか１つに記載のバルブ装置。
【手続補正２】
【補正対象書類名】明細書
【補正対象項目名】０００１
【補正方法】変更
【補正の内容】
【０００１】
本発明は、バルブ装置に関する。
【手続補正３】
【補正対象書類名】明細書
【補正対象項目名】０００２
【補正方法】変更
【補正の内容】
【０００２】
（従来技術）
冷却水の流量を変更するバルブと、バルブを内側に収容するハウジングと、バルブと一体に回動するシャフトと、を備えたバルブ装置が知られている（例えば、特許文献１参照）。
【手続補正４】
【補正対象書類名】明細書
【補正対象項目名】０００３
【補正方法】削除
【補正の内容】
【手続補正５】
【補正対象書類名】明細書
【補正対象項目名】０００８
【補正方法】変更
【補正の内容】
【０００８】
本発明の目的は、バルブ装置において冷却水の圧力損失を低減することである。
【手続補正６】
【補正対象書類名】明細書
【補正対象項目名】０００９
【補正方法】変更
【補正の内容】
【０００９】
本発明のバルブ装置は、車両の冷却水の流量を制御するバルブ装置であって、バルブ（１）と、前記バルブ（１）を内側に収容するハウジング（３）と、前記バルブと一体に回動するシャフト（１４）と、を備え、前記バルブは、冷却水が流出入する内部空間、および、この内部空間を前記バルブの外部に開く複数のバルブ開口を有し、前記ハウジングは、冷却水が流通可能なシート開口を有し、前記複数のバルブ開口の内、特定のバルブ開口は、前記バルブが前記シャフトの周囲に回動することで前記シート開口と連通し、前記複数のバルブ開口の内、別のバルブ開口は、当該バルブの回動軸方向に向かって開口し、前記バルブにおいて前記内部空間を囲む内壁面は、前記別のバルブ開口と前記回動軸方向に対向する領域において前記別のバルブ開口に向かって凸となる凸部を有し、前記凸部は、前記別のバルブ開口に近づくほど前記シャフトの回転の軸心に近づく斜面を含むことを特徴とする。
【手続補正７】
【補正対象書類名】明細書
【補正対象項目名】００１０
【補正方法】変更
【補正の内容】
【００１０】
これにより、冷却水の圧力損失を低減することができる。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
荷重を受けてひずむ起歪部材に取り付けられて、前記起歪部材の第１方向に作用する荷重の第１ホイートストンブリッジ回路による検出、及び前記起歪部材の第１方向に直交する第２方向に作用する荷重の第２ホイートストンブリッジ回路による検出に用いられるひずみゲージであって、
基材と、
前記基材上に形成された回路パターンとを備え、
前記基材は、前記起歪部材の荷重を受けてひずみが生じる起歪領域に取り付けられる受感領域と、前記起歪領域の外側に配置される不感領域とを有し、
前記回路パターンは、第１ホイートストンブリッジ回路を構成する２つの第１方向ひずみ受感素子と、第２ホイートストンブリッジ回路を構成する２つの第２方向ひずみ受感素子と、第１ホイートストンブリッジ回路を構成する第１方向固定抵抗素子及び第２ホイートストンブリッジ回路を構成する第２方向固定抵抗素子の少なくとも一方を含み、
前記２つの第１方向ひずみ受感素子、前記２つの第２方向ひずみ受感素子、並びに前記第１方向固定抵抗素子及び第２方向固定抵抗素子の少なくとも一方は同一材料で形成されており、
前記２つの第１方向ひずみ受感素子及び前記２つの第２方向ひずみ受感素子は前記受感領域に形成されており、前記第１方向固定抵抗素子及び第２方向固定抵抗素子の少なくとも一方は前記不感領域に形成されているひずみゲージ。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
第１ゲームオブジェクトのパラメータデータを変化させるゲームを実行するゲームシステムにおいて、
複数の選択肢のうちの少なくとも一つに、１又は複数の第２ゲームオブジェクトを関連付ける関連付け手段と、
前記複数の選択肢のうちから選択を受け付ける受付手段と、
前記複数の選択肢のうちから選択された選択肢に基づいて、当該選択された選択肢に関連付けられた前記１又は複数の第２ゲームオブジェクトのパラメータデータを減少させて、前記第１ゲームオブジェクトのパラメータデータを増加させる変化手段と、
を含むゲームシステム。
【請求項２】
請求項１に記載のゲームシステムにおいて、
前記複数の選択肢のうちから選択された選択肢に基づいて、当該選択肢に関連付けられる前記第２ゲームオブジェクトの数に応じて、当該選択肢に関連付けられる前記１又は複数の第２ゲームオブジェクトのパラメータデータの総量を設定する設定手段をさらに含む、
ゲームシステム。
【請求項３】
請求項１又は２に記載のゲームシステムにおいて、
前記複数の選択肢は、１又は複数の第３ゲームオブジェクトが関連付けられた選択肢を含み、
前記複数の選択肢のうちから選択された選択肢に基づいて、当該選択肢に関連付けられる前記１又は複数の第３ゲームオブジェクトの数に応じて、当該選択肢に関連付けられる前記１又は複数の第２ゲームオブジェクトのパラメータデータの減少量、及び、前記第１ゲームオブジェクトのパラメータデータの値の増加量を変化させる変化制御手段をさらに含む、
ゲームシステム。
【請求項４】
請求項３に記載のゲームシステムにおいて、
前記変化制御手段は、前記複数の選択肢のうちから選択された選択肢に基づいて、当該選択肢に関連付けられる前記１又は複数の第３ゲームオブジェクトの数に応じた前記１又は複数の第２ゲームオブジェクトのパラメータデータの減少量が当該１又は複数の第２ゲームオブジェクトのパラメータデータの残量を超える場合、当該減少量が当該残量を超えない場合に比べて、前記第１ゲームオブジェクトのパラメータデータの増加量が大きくなるように、当該増加量を変化させる、
ゲームシステム。
【請求項５】
第１ゲームオブジェクトのパラメータデータを変化させるゲームを実行するゲーム制御装置において、
複数の選択肢のうちの少なくとも一つに、１又は複数の第２ゲームオブジェクトを関連付ける関連付け手段と、
前記複数の選択肢のうちから選択肢の選択を受け付ける受付手段と、
前記複数の選択肢のうちから選択された選択肢に基づいて、当該選択された選択肢に関連付けられた前記１又は複数の第２ゲームオブジェクトのパラメータデータを減少させて、前記第１ゲームオブジェクトのパラメータデータを増加させる変化手段と、
を含むゲーム制御装置。
【請求項６】
請求項１乃至４のいずれか１項に記載のゲームシステム、又は、請求項５に記載のゲーム制御装置としてコンピュータを機能させるためのプログラム。
【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
複数のゲーム端末とサーバ装置とを含むゲームシステムにおいて、
前記サーバ装置は、前記複数のゲーム端末のうちの少なくとも一つが通信不調状態になったことを検知する検知手段を含み、
前記複数のゲーム端末の各々は、他のゲーム端末が前記通信不調状態になったと検知されてから所定時間が経過した場合に、ユーザから終了指示を受け付ける受付手段を含み、
前記ゲームシステムは、前記通信不調状態になったと検知されたゲーム端末以外のゲーム端末を使用するユーザによる前記終了指示に応じて、前記複数のゲーム端末をそれぞれ使用する複数のユーザが参加するゲームを終了させるための制御を行う終了制御手段をさらに含み、
前記他のゲーム端末が前記通信不調状態になったと検知されてから所定時間が経過するまでの期間は、前記受付手段が前記ユーザによる前記終了指示を受け付けず、かつ、前記他のゲーム端末が前記通信不調状態から通常状態に戻るのを待機する状態になり、
前記他のゲーム端末が前記通信不調状態になったと検知されてから所定時間が経過した後は、前記受付手段が前記ユーザによる前記終了指示を受け付け、かつ、前記他のゲーム端末が前記通信不調状態から通常状態に戻るのを待機する状態になる、
ゲームシステム。
【請求項２】
請求項１に記載のゲームシステムにおいて、
前記複数のゲーム端末の各々は、前記他のゲーム端末が前記通信不調状態になったと検知された場合に、所定の通知を表示手段に表示させるための制御を行う手段をさらに含み、
前記受付手段は、前記他のゲーム端末が前記通信不調状態になったと検知されてから所定時間が経過した場合に、前記終了指示を受け付けるための受付画像を前記所定の通知とともに前記表示手段に表示させるための制御を行うことによって、前記ユーザから前記終了指示の受付を開始する、
ゲームシステム。
【請求項３】
請求項２に記載のゲームシステムにおいて、
前記所定の通知は、前記他のゲーム端末が前記通信不調状態であることを示す通知、前記他のゲーム端末が前記通信不調状態から前記通常状態に戻るのを待っていることを示す通知、及び、前記他のゲーム端末からのデータを待っていることを示す通知のうちのいずれかであり、
前記受付画像は、前記複数のゲーム端末をそれぞれ使用する複数のユーザが参加するゲームを終了させることを示す画像である、
ゲームシステム。
【請求項４】
複数のゲーム端末のうちの一のゲーム端末において、
前記複数のゲーム端末のうちの他のゲーム端末が通信不調状態になったと検知されてから所定時間が経過した場合に、ユーザから終了指示を受け付ける受付手段と、
前記ユーザによる前記終了指示に応じて、前記複数のゲーム端末をそれぞれ使用する複数のユーザが参加するゲームを終了させるための制御を行う終了制御手段と、を含み、
前記他のゲーム端末が前記通信不調状態になったと検知されてから所定時間が経過するまでの期間は、前記受付手段が前記ユーザによる前記終了指示を受け付けず、かつ、前記他のゲーム端末が前記通信不調状態から通常状態に戻るのを待機する状態になり、
前記他のゲーム端末が前記通信不調状態になったと検知されてから所定時間が経過した後は、前記受付手段が前記ユーザによる前記終了指示を受け付け、かつ、前記他のゲーム端末が前記通信不調状態から通常状態に戻るのを待機する状態になる、
ゲーム端末。
【請求項５】
請求項４に記載のゲーム端末として機能させるためのプログラム。
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
ＰＳＭＡのリガンド（Ｂ）、リンカー（Ｌ）及び薬剤（Ｄ）を含む結合体であって、
ＬがＤと共有結合し、ＬがＢと共有結合し、
Ｂが２つのアミノ酸からなる尿素化合物である前立腺特異的膜抗原（ＰＳＭＡ）のリガンドであり、ここでの２つのアミノ酸は、独立してアスパラギン、アスパラギン酸、システイン、グルタミン酸、リシン、グルタミン、アルギニン、セリン、オルニチン、トレオニン、およびそれらの組み合わせから選択され、
Ｌが１４〜２４個の原子の長さの二価リンカーであり、該二価リンカーは１以上の適宜置換されたＰｈｅおよび１以上の適宜置換されたＴｙｒを含む二価トリペプチドを含み、
Ｄがキレート基に配位している放射性金属同位元素である、結合体。
【請求項２】
Ｂが下記式：
2020073472.tif 000001
（式中、Ｒ１は水素であり、Ｒ２は置換されたカルボン酸であり、該置換されたカルボン酸はリンカーと共有結合する）である、請求項１の結合体。
【請求項３】
該トリペプチドが適宜置換されたフェニルアラニンおよび置換されたチロシンを含む、請求項１の結合体。
【請求項４】
該トリペプチドが適宜置換されたフェニルアラニンおよび置換されたチロシンを含む、請求項２の結合体。
【請求項５】
該キレート化剤がＤＯＴＡである、請求項１の結合体。
【請求項６】
請求項１の結合体と、１以上の医薬的に許容される担体、賦形剤、またはこれらの組み合わせを含む、医薬組成物。
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
Ｃａｓ９蛋白質およびカチオン性脂質を含む組成物であって、Ｃａｓ９蛋白質がｇＲＮＡと結びつき、Ｃａｓ９蛋白質が、デアミナーゼに融合されている、前記組成物。
【請求項２】
組成物が、細胞の集団に投与されたときに低い毒性を示す、請求項１に記載の組成物。
【請求項３】
カチオン性脂質が、Lipofectamine（登録商標）2000、Lipofectamine（登録商標）3000、Lipofectamine（登録商標）RNAiMAX、およびLipofectamine（登録商標）LTXからなる群から選択される、請求項１または２に記載の組成物。
【請求項４】
デアミナーゼが、シチジンデアミナーゼを含む、請求項１〜３のいずれか一項に記載の組成物。
【請求項５】
シチジンデアミナーゼが、ＡＰＯＢＥＣ１、ＡＩＤおよびＡＣＦ１／ＡＳＥデアミナーゼからなる群から選択される、請求項４に記載の組成物。
【請求項６】
シチジンデアミナーゼが、ＡＰＯＢＥＣ１デアミナーゼである、請求項４または５に記載の組成物。
【請求項７】
シチジンデアミナーゼが、ＡＩＤデアミナーゼである、請求項４または５に記載の組成物。
【請求項８】
シチジンデアミナーゼが、ＡＣＦ１／ＡＳＥデアミナーゼである、請求項４または５に記載の組成物。
【請求項９】
デアミナーゼが、アデノシンデアミナーゼを含む、請求項１〜３のいずれか一項に記載の組成物。
【請求項１０】
アデノシンデアミナーゼが、ＡＤＡＴファミリーデアミナーゼを含む、請求項９に記載の組成物。
【請求項１１】
Ｃａｓ９蛋白質が、リンカーを介してデアミナーゼに融合されている、請求項１〜１０のいずれか一項に記載の組成物。
【請求項１２】
リンカーが、ＳＧＳＥＴＰＧＴＳＥＳＡＴＰＥＳ（配列番号３）、ＳＧＳＥＴＰＧＴＳＥＳＡ（配列番号４）、ＳＧＳＥＴＰＧＴＳＥＳＡＴＰＥＧＧＳＧＧＳ（配列番号５）、ＶＰＦＬＬＥＰＤＮＩＮＧＫＴＣ（配列番号６）、ＧＳＡＧＳＡＡＧＳＧＥＦ（配列番号７）、ＳＩＶＡＱＬＳＲＰＤＰＡ（配列番号８）、ＭＫＩＩＥＱＬＰＳＡ（配列番号９）、ＶＲＨＫＬＫＲＶＧＳ（配列番号１０）、ＧＨＧＴＧＳＴＧＳＧＳＳ（配列番号１１）、ＭＳＲＰＤＰＡ（配列番号１２）、ＧＧＳＭ（配列番号１３）、ＧＧＳ、および（ＧＧＳ）ｎ、ここでｎは１〜１０である、からなる群から選択されるアミノ酸配列を含む、請求項１１に記載の組成物。
【請求項１３】
デアミナーゼに融合されているＣａｓ９蛋白質が、構造：
［ＮＨ２］−［Ｃａｓ９］−［デアミナーゼ］−［ＣＯＯＨ］、または
［ＮＨ２］−［デアミナーゼ］−［Ｃａｓ９］−［ＣＯＯＨ］
を含む、請求項１〜１２のいずれか一項に記載の組成物。
【請求項１４】
Ｃａｓ９蛋白質またはデアミナーゼに融合されている核局在シグナル（ＮＬＳ）をさらに含む、請求項１〜１３のいずれか一項に記載の組成物。
【請求項１５】
核局在シグナルが、アミノ酸配列ＭＡＰＫＫＫＲＫＶＧＩＨＲＧＶＰ（配列番号４７）を含む、請求項１４に記載の組成物。
【請求項１６】
ＮＬＳが、デアミナーゼのＣ末端である、請求項１４または１５に記載の組成物。
【請求項１７】
ＮＬＳが、Ｃａｓ９ドメインのＣ末端である、請求項１４または１５に記載の組成物。
【請求項１８】
デアミナーゼに融合されているＣａｓ９蛋白質が、構造：
［ＮＨ２］−［ＮＬＳ］−［Ｃａｓ９］−［デアミナーゼ］−［ＣＯＯＨ］または
［ＮＨ２］−［ＮＬＳ］−［デアミナーゼ］−［Ｃａｓ９］−［ＣＯＯＨ］
を含む、請求項１４または１５に記載の組成物。
【請求項１９】
細胞の少なくとも６０％が、細胞への組成物の投与後に生存可能である、請求項１〜１８のいずれか一項に記載の組成物。
【請求項２０】
細胞の少なくとも７０％が、細胞への組成物の投与後に生存可能である、請求項１〜１９のいずれか一項に記載の組成物。
【請求項２１】
細胞の少なくとも８０％が、細胞への組成物の投与後に生存可能である、請求項１〜２０のいずれか一項に記載の組成物。
【請求項２２】
細胞の少なくとも９０％が、細胞への組成物の投与後に生存可能である、請求項１〜２１のいずれか一項に記載の組成物。
【請求項２３】
Ｃａｓ９蛋白質が、野生型Ｃａｓ９蛋白質もしくはそのバリアント、Ｃａｓ９ニッカーゼもしくはそのバリアント、またはヌクレアーゼ不活性型Ｃａｓ９（ｄＣａｓ９）もしくはそのバリアントを含む、請求項１〜２２のいずれか一項に記載の組成物。
【請求項２４】
Ｃａｓ９蛋白質が、Ｃａｓ９ニッカーゼまたはそのバリアントを含む、請求項１〜２３のいずれか一項に記載の組成物。
【請求項２５】
Ｃａｓ９蛋白質が、野生型Ｃａｓ９蛋白質または配列番号４４のアミノ酸配列と少なくとも９０％同一であるアミノ酸配列を含むＣａｓ９バリアントを含む、請求項１〜２３のいずれか一項に記載の組成物。
【請求項２６】
Ｃａｓ９蛋白質が、配列番号４５のアミノ酸配列と少なくとも９０％同一であるアミノ酸配列を含み、かつ野生型Ｃａｓ９のアミノ酸配列と比較して、Ｄ１０Ａおよび／またはＨ８４０Ａ置換を含む、ヌクレアーゼ不活性型Ｃａｓ９（ｄＣａｓ９）を含む、請求項１〜２３のいずれか一項に記載の組成物。
【請求項２７】
インビトロで細胞内にＣａｓ９蛋白質を導入する方法であって、Ｃａｓ９蛋白質が細胞内に入るための好適な条件で請求項１〜２６のいずれか一項に記載の組成物と細胞とをインビトロで接触させることを含み、それによって細胞内にＣａｓ９蛋白質を導入する、前記方法。
【請求項２８】
デアミナーゼが細胞に透過したことを確認することをさらに含む、請求項２７に記載の方法。
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
基材層と、
前記基材層の一方の面側に設けられるシーラント層と、
前記基材層の前記シーラント層が設けられた面とは反対側の面に設けられる帯電防止層と、
を有する電子部品包装用カバーテープであって、
前記帯電防止層が、バインダー樹脂と、帯電防止剤と、滑剤とを含み、
一の当該電子部品包装用カバーテープの前記基材層における前記シーラント層が設けられた面とは反対側の面に設けられた前記帯電防止層に対して、他の当該電子部品包装用カバーテープの前記シーラント層の表面を重ね合わせ、前記一の当該電子部品包装用カバーテープと前記他の当該電子部品包装用カバーテープとを用い、ＪＩＳ  Ｋ７１２５に準じ、２００ｇの負荷をかけた状態で１００ｍｍ／ｍｉｎの速度にて摩擦試験を実施した時、前記一の当該電子部品包装用カバーテープの前記基材層における前記シーラント層が設けられた面とは反対側の面に設けられた前記帯電防止層と、前記他の当該電子部品包装用カバーテープの前記シーラント層の表面との動摩擦係数が、０．１以上１．５以下であり、静摩擦係数が１．０２以上１．７以下である、電子部品包装用カバーテープ。
【請求項２】
当該電子部品包装用カバーテープの全光線透過率が、８０％以上である、請求項１に記載の電子部品包装用カバーテープ。
【請求項３】
当該電子部品包装用カバーテープの幅が２ｍｍ以上１００ｍｍ以下である、請求項１または２に記載の電子部品包装用カバーテープ。
【請求項４】
２３℃、３０％ＲＨで測定した前記基材層における前記シーラント層が設けられた面とは反対側の面における表面抵抗値が、１×１０７Ω／□以上５×１０１３Ω／□以下である、請求項１乃至３のいずれか一項に記載の電子部品包装用カバーテープ。
【請求項５】
前記帯電防止層が、エステル化合物を含む材料により形成されている、請求項１乃至４のいずれか一項に記載の電子部品包装用カバーテープ。
【手続補正２】
【補正対象書類名】明細書
【補正対象項目名】００１０
【補正方法】変更
【補正の内容】
【００１０】
本発明によれば、
基材層と、
前記基材層の一方の面側に設けられるシーラント層と、
前記基材層の前記シーラント層が設けられた面とは反対側の面に設けられる帯電防止層と、
を有する電子部品包装用カバーテープであって、
前記帯電防止層が、バインダー樹脂と、帯電防止剤と、滑剤とを含み、
一の当該電子部品包装用カバーテープの前記基材層における前記シーラント層が設けられた面とは反対側の面に設けられた前記帯電防止層に対して、他の当該電子部品包装用カバーテープの前記シーラント層の表面を重ね合わせ、前記一の当該電子部品包装用カバーテープと前記他の当該電子部品包装用カバーテープとを用い、ＪＩＳ  Ｋ７１２５に準じ、２００ｇの負荷をかけた状態で１００ｍｍ／ｍｉｎの速度にて摩擦試験を実施した時、前記一の当該電子部品包装用カバーテープの前記基材層における前記シーラント層が設けられた面とは反対側の面に設けられた前記帯電防止層と、前記他の当該電子部品包装用カバーテープの前記シーラント層の表面との動摩擦係数が、０．１以上１．５以下であり、静摩擦係数が１．０２以上１．７以下である、電子部品包装用カバーテープが提供される。
【手続補正３】
【補正対象書類名】明細書
【補正対象項目名】００５３
【補正方法】変更
【補正の内容】
【００５３】
以上、本発明の実施形態について述べたが、これらは本発明の例示であり、上記以外の様々な構成を採用することもできる。
以下、実施形態の例を付記する。
１．  基材層と、
前記基材層の一方の面側に設けられるシーラント層と、を有する電子部品包装用カバーテープであって、
一の当該電子部品包装用カバーテープの前記基材層における前記シーラント層が設けられた面とは反対側の面に対して、他の当該電子部品包装用カバーテープの前記シーラント層の表面を重ね合わせ、前記一の当該電子部品包装用カバーテープと前記他の当該電子部品包装用カバーテープとを用い、ＪＩＳ  Ｋ７１２５に準じ、２００ｇの負荷をかけた状態で１００ｍｍ／ｍｉｎの速度にて摩擦試験を実施した時、前記一の当該電子部品包装用カバーテープの前記基材層における前記シーラント層が設けられた面とは反対側の面の動摩擦係数が、０．１以上１．５以下である、電子部品包装用カバーテープ。
２．  当該電子部品包装用カバーテープの全光線透過率が、８０％以上である、１．に記載の電子部品包装用カバーテープ。
３．  当該電子部品包装用カバーテープの幅が２ｍｍ以上１００ｍｍ以下である、１．または２．に記載の電子部品包装用カバーテープ。
４．  ２３℃、３０％ＲＨで測定した前記基材層における前記シーラント層が設けられた面とは反対側の面における表面抵抗値が、１×１０７Ω／□以上５×１０１３Ω／□以下である、１．乃至３．のいずれかに記載の電子部品包装用カバーテープ。
５．  前記基材層における前記シーラント層が設けられた面とは反対側の面に帯電防止層を有する、１．乃至４．のいずれかに記載の電子部品包装用カバーテープ。
６．  前記帯電防止層が、エステル化合物を含む材料により形成されている、５．に記載の電子部品包装用カバーテープ。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
液体噴霧器から成人の肺への吸入によって送達されるエアロゾルとして噴霧投与用に製剤化された、間質性肺疾患の治療における使用のための水性医薬組成物であって、前記水性医薬組成物は、約５０ｍＯｓｍｏｌ／ｋｇから約２０００ｍＯｓｍｏｌ／ｋｇである浸透圧を有する５．０ｍｇ／ｍＬから１８．０ｍｇ／ｍＬの濃度の水溶液中のピルフェニドンまたはピリドンの類似体を含み、ここで、用量は４８０ｍｇ／日未満のピルフェニドンであり、間質性肺疾患に苦しむ成人の強制肺活量（ＦＶＣ）の低下を減少させるために治療上有効である、水性医薬組成物。
【請求項２】
クエン酸またはリン酸緩衝液をさらに含む、請求項１に記載の水性医薬組成物。
【請求項３】
水性医薬組成物の呼吸可能な送達用量が、２９／６０ｍｇ／ｋｇ体重または１日に４回与えられる０．４８３ｍｇ／ｋｇ体重の同等量を超えない、請求項１または２に記載の水性医薬組成物。
【請求項４】
液体噴霧器によって成人に投与されるピルフェニドンの１日総用量が３６０ｍｇを超えない、請求項１から３のいずれか１項に記載の水性医薬組成物。
【請求項５】
約０．１％から約５．０％の浸透圧イオン濃度を有する、請求項１に記載の水性医薬組成物。
【請求項６】
ｐＨ５．０からｐＨ６．０のｐＨを有する、請求項１から５のいずれか１項に記載の水性医薬組成物。
【請求項７】
水性医薬組成物の約０．０１から約２．０重量パーセントの量の１種または複数の塩を含む、請求項１から６のいずれか１項に記載の水性医薬組成物。
【請求項８】
塩が、塩化ナトリウム、塩化マグネシウム、臭化ナトリウム、臭化マグネシウム、塩化カルシウム、および臭化カルシウム、ならびにそれらの組み合わせからなる群から選択される、請求項７に記載の水性医薬組成物。
【請求項９】
液体噴霧器からの各呼吸可能な送達用量が、５．０ｍｇから２５．０ｍｇの間のピルフェニドンまたはピリドンの類似体を成人の肺に送達する、請求項１から８のいずれか１項に記載の水性医薬組成物。
【請求項１０】
インターフェロンガンマ、インターフェロンベータ−１ａ、ペントラキシン−２、Ｎ−アセチル−Ｌ−システイン、ＧＳ−６６２４、ＩＷ００１、ＰＲＭ−１５１、ＳＴＸ−１００、ＣＣ−９３０、ＱＡＸ５７６、ＦＧ−３０１９、ＣＮＴＯ−８８８、ＢＩＢＦ−１１２０、ＩＬ−１３リガンドまたは受容体を標的とする抗体、インテグリンアルファ−ｖｂｅｔａ−６を標的とする抗体、ＣＴＧＦリガンドまたは受容体を標的とする抗体、ＣＣＬ２リガンドまたは受容体を標的とする抗体、血管内皮細胞増殖因子（ＶＥＧＦ）リガンドまたは受容体を標的とする小分子、血小板由来増殖因子（ＰＤＧＦ）リガンドまたは受容体を標的とする小分子、線維芽細胞成長因子（ＦＧＦ）リガンドまたは受容体を標的とする小分子、ＬＯＸＬ２  １２、標的抗体、Ｊｕｎキナーゼを標的とする小分子、およびＴＧＦｂｅｔａを標的とする小分子、およびそれらの組み合わせからなる群から選択される、間質性肺疾患を治療するための１つ以上の追加の治療薬をさらに含む、請求項１から９のいずれか一項に記載の水性医薬組成物。
【請求項１１】
成人への８０１ｍｇ経口剤形のピルフェニドンの投与後に達成されるよりも、成人への単一エアロゾル用量の投与後に、より高い肺組織Ｃｍａｘが達成される、請求項１に記載の水性医薬組成物。
【請求項１２】
成人への８０１ｍｇの経口剤形のピルフェニドンの投与後に達成されるよりも、成人に単一のエアロゾル用量を投与後に、より低い血漿ＡＵＣが達成される、請求項１１に記載の水性医薬組成物。
【請求項１３】
請求項１に記載の水性医薬組成物であって、液体噴霧器が、
（ｉ）成人に投与されたピルフェニドンの少なくとも７％の肺沈着を達成し、
（ｉｉ）水溶液の放出された液滴直径分布の幾何標準偏差（ＧＳＤ）が約１．０から約２．５のエアロゾルを提供し、
（ｉｉｉ）エアロゾルの液滴直径の空気力学的中央値粒径（ＭＭＡＤ）が約１μｍから約５μｍのエアロゾルを生成し、そして
（ｉｖ）液体噴霧器から放出された液滴の粒子画分の少なくとも約３０％を提供する（ＦＰＦ＝％≦５μｍ）、
水性医薬組成物。
【請求項１４】
共溶媒、味覚マスキング剤、張性剤、甘味料、界面活性剤、湿潤剤、キレート剤、抗酸化剤、塩、およびこれらの組み合わせから選択される１つまたは複数の追加の成分をさらに含む、請求項１に記載の水性医薬組成物。
【請求項１５】
液体噴霧器が、エアロゾル発生器と、水性医薬組成物が配置される薬剤チャンバーとを含む、請求項１に記載の水性医薬組成物。
【請求項１６】
液体噴霧器が、ジェット噴霧器、超音波噴霧器、脈動膜噴霧器、複数の開口を有する振動メッシュまたはプレートを含む噴霧器、またはピストン噴霧器である、請求項１５に記載の水性医薬組成物。
【請求項１７】
治療有効用量が、計量された単回または複数回用量の体積を含む液体貯蔵容器を受容するように適合されたエアロゾル発生器を含む液体噴霧器に入れられ、受容された液体貯蔵容器が液体噴霧器内の薬剤容器として機能する、請求項１に記載の水性医薬組成物。
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
塩素化銅フタロシアニン顔料組成物であって、５０％超のβ結晶形を含み、α位及びβ位を有する下記の構造を有し、
【化１】
2020073702.tif 000001
前記フタロシアニンのα位及びβ位における塩素置換が以下の式によって定義され、
０．４＜ｍ＋ｎ≦４
ｍ≧ｎ
ｎ＞０．２、
式中ｍは前記α位における塩素置換基の平均数を表し、ｎは前記β位における塩素置換基の平均数を表す、塩素化銅フタロシアニン顔料組成物。
【請求項２】
粒径が約２０〜９０ｎｍである、請求項１に記載のフタロシアニン顔料組成物。
【請求項３】
粒径が約３０〜７０ｎｍである、請求項１に記載のフタロシアニン顔料組成物。
【請求項４】
９５Ｗティントにおける色相角（Ｈ）が約２２５°〜２４２°である、請求項１に記載のフタロシアニン顔料組成物。
【請求項５】
前記顔料組成物が少なくとも一種の添加剤を含む、請求項１に記載のフタロシアニン顔料組成物。
【請求項６】
前記添加剤が顔料誘導体である、請求項５に記載のフタロシアニン顔料組成物。
【請求項７】
前記添加剤が修飾フタロシアニン顔料誘導体である、請求項６に記載のフタロシアニン顔料組成物。
【請求項８】
前記添加剤がスルホン化フタロシアニン顔料誘導体である、請求項７に記載のフタロシアニン顔料組成物。
【請求項９】
前記顔料組成物が自動車用塗料系に用いられる、請求項１に記載のフタロシアニン顔料組成物。
【請求項１０】
請求項１に記載の塩素化銅フタロシアニン顔料組成物を含む、コーティング、インク、水性又は溶媒性顔料製剤、電子写真用トナー及び電子写真用現像剤、プラスチック、カラーフィルター、パウダーコーテイング材。
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
フレームに蒸着マスクが固定されたフレーム一体型の蒸着マスクであって、
前記蒸着マスクは、樹脂マスク、及び前記樹脂マスクの一方の面側に位置する金属層を有し、
前記樹脂マスクは、蒸着作製するパターンに対応する開口部を有し、
前記金属層は、それぞれ孤立した、前記フレームと接する金属層と、前記フレームと接しない金属層を含む、
フレーム一体型の蒸着マスク。
【請求項２】
前記金属層が、前記フレームと接する金属層を複数含む、
請求項１に記載のフレーム一体型の蒸着マスク。
【請求項３】
前記フレームと接する金属層の複数が、前記樹脂マスクの外縁に沿って位置している、
請求項２に記載のフレーム一体型の蒸着マスク。
【請求項４】
前記樹脂マスクが、長辺と短辺を有する四辺形であり、
前記フレームと接する金属層の複数が、前記樹脂マスクの長辺、及び短辺の何れか一方の辺、又は双方の辺に沿って位置している、
請求項２に記載のフレーム一体型の蒸着マスク。
【請求項５】
前記金属層が、前記フレームと接しない金属層を複数含む
請求項１乃至４の何れか１項に記載のフレーム一体型の蒸着マスク。
【請求項６】
前記樹脂マスクが、複数の前記開口部を有し、
前記フレームと接しない金属層が、任意の前記開口部の間に位置している、
請求項１乃至５の何れか１項に記載のフレーム一体型の蒸着マスク。
【請求項７】
前記蒸着マスクが、前記樹脂マスクの他方の面側に位置する保護層を有する、
請求項１乃至６の何れか１項に記載のフレーム一体型の蒸着マスク。
【請求項８】
前記保護層のＪＩＳ  Ｚ−０２３７：２００９で準拠される剥離強度が０．０００４Ｎ／１０ｍｍ以上０．２Ｎ／１０ｍｍ以下である、
請求項７に記載のフレーム一体型の蒸着マスク。
【請求項９】
フレームに複数の蒸着マスクが固定されたフレーム一体型の蒸着マスクであって、
前記複数の蒸着マスクの少なくとも１つが、請求項１乃至８の何れか１項に記載のフレーム付き蒸着マスクの前記蒸着マスクである、
フレーム一体型の蒸着マスク。
【請求項１０】
フレームに蒸着マスク準備体が固定されたフレーム一体型の蒸着マスク準備体であって、
前記蒸着マスク準備体は、蒸着作製するパターンに対応する開口部が形成される前の樹脂板、及び前記樹脂板の一方の面側に位置する金属層を有し、
前記金属層は、それぞれ孤立した、前記フレームと接する金属層と、前記フレームと接しない金属層を含む、
フレーム一体型の蒸着マスク準備体。
【請求項１１】
前記金属層が、前記フレームと接する金属層を複数含む、
請求項１０に記載のフレーム一体型の蒸着マスク準備体。
【請求項１２】
前記フレームと接する金属層の複数が、前記樹脂板の外縁に沿って位置している、
請求項１１に記載のフレーム一体型の蒸着マスク準備体。
【請求項１３】
前記樹脂板が、長辺と短辺を有する四辺形であり、
前記フレームと接する金属層の複数が、前記樹脂板の長辺、及び短辺の何れか一方の辺、又は双方の辺に沿って位置している、
請求項１１に記載のフレーム一体型の蒸着マスク準備体。
【請求項１４】
前記金属層が、前記フレームと接しない金属層を複数含む
請求項１０乃至１３の何れか１項に記載のフレーム一体型の蒸着マスク準備体。
【請求項１５】
前記蒸着マスクが、前記樹脂板の他方の面側に位置する保護層を有する、
請求項１０乃至１４の何れか１項に記載のフレーム一体型の蒸着マスク準備体。
【請求項１６】
前記保護層のＪＩＳ  Ｚ−０２３７：２００９で準拠される剥離強度が０．０００４Ｎ／１０ｍｍ以上０．２Ｎ／１０ｍｍ以下である、
請求項１５に記載のフレーム一体型の蒸着マスク準備体。
【請求項１７】
フレームに複数の蒸着マスク準備体が固定されたフレーム一体型の蒸着マスク準備体であって、
前記複数の蒸着マスク準備体の少なくとも１つが、請求項１０乃至１６の何れか１項に記載のフレーム付き蒸着マスク準備体の前記蒸着マスク準備体である、
フレーム一体型の蒸着マスク準備体。
【請求項１８】
フレーム一体型の蒸着マスクを用いて蒸着対象物に蒸着パターンを形成する蒸着パターン形成方法であって、
前記フレーム一体型の蒸着マスクが、請求項１乃至９の何れか１項に記載のフレーム一体型の蒸着マスクである、
蒸着パターン形成方法。
【請求項１９】
有機半導体素子の製造方法であって、
フレーム一体型の蒸着マスクを用いて蒸着対象物に蒸着パターンを形成する蒸着パターン形成工程を含み、
前記蒸着パターン形成工程で用いられる前記フレーム一体型の蒸着マスクが、請求項１乃至９の何れか１項に記載のフレーム一体型の蒸着マスクである、
有機半導体素子の製造方法。
【請求項２０】
有機ＥＬディスプレイの製造方法であって、
請求項１９に記載の有機半導体素子の製造方法によって製造された有機半導体素子が用いられる、
有機ＥＬディスプレイの製造方法。
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
天然着色料の製造プロセスであって：
第１級アミン含有化合物を、ゲニピン、精製ゲニピン、ゲニピン前駆体化合物、イリドイド化合物、ゲニピン誘導体、ゲニピン含有化合物およびこれらの任意の組合せからなる群から選択される原料と混合し、それによってブレンド物を生成することと、
前記ブレンド物を加熱し、それによって前記天然着色料を生成することと、
を含み、
前記原料は、全果実、果汁、果実ピューレ、果汁濃縮物、果実由来の乾燥粉末、汁液由来の乾燥粉末、果実の水不溶分、これらの任意の誘導体およびこれらの任意の組合せからなる群から選択される形態にある、プロセス。
【請求項２】
前記第１級アミン含有化合物が、アミノ酸、アミノ酸の誘導体、メチルアミン、ガンマ−アミノ酪酸、ポリペプチド、タンパク質およびこれらの任意の組合せからなる群から選択される、請求項１に記載の天然着色料の製造プロセス。
【請求項３】
前記ゲニピン含有化合物が、チブサノキ（Genipa americana）、チブサノキ（Genipa americana）の近縁種の果実およびこれらの任意の組合せからなる群から選択される、請求項１に記載のプロセス。
【請求項４】
前記アミノ酸が、イソロイシン、Ｌ−イソロイシン、リシン、Ｌ−リシン一塩酸塩、アルギニン、Ｌ−アルギニン塩基、グルタミン酸、Ｌ−グルタミン酸ＨＣｌ、フェニルアラニン、Ｌ−フェニルアラニン、アラニン、セリン、グリシン、アルギニン、グルタミン、バリン、ロイシン、メチオニン、アスパラギン、チロシン、カルニチン、タウリンおよびこれらの任意の組合せからなる群から選択される、請求項２に記載のプロセス。
【請求項５】
前記アミノ酸が、イソロイシンおよびリシン、ならびにイソロイシンおよびアラニンからなる群から選択されるアミノ酸の組合せである、請求項２に記載のプロセス。
【請求項６】
前記アミノ酸の組合せが、イソロイシンを６０〜８０％含む、請求項５に記載のプロセス。
【請求項７】
前記アミノ酸が、前記原料の重量に対し少なくとも０．２５重量％の量で存在し、前記原料は、チブサノキ（Genipa americana）、チブサノキ（Genipa americana）の近縁種の果実およびこれらの任意の組合せからなる群から選択される、請求項２に記載のプロセス。
【請求項８】
前記アミノ酸が、前記原料の重量に対し約０．２５〜１０重量％の量で存在し、前記原料は、チブサノキ（Genipa americana）、チブサノキ（Genipa americana）の近縁種の果実およびこれらの任意の組合せからなる群から選択される、請求項２に記載のプロセス。
【請求項９】
前記アミノ酸が、前記原料の重量に対し約０．７５〜１．５０重量％の量で存在し、前記原料はウィト（huito）果実である、請求項２に記載のプロセス。
【請求項１０】
前記アミノ酸が、前記アミノ酸対前記原料のモル比が０．２５：１〜４：１となる量で存在し、前記原料が、ゲニピン、精製ゲニピンおよびこれらの任意の組合せからなる群から選択される、請求項２に記載のプロセス。
【請求項１１】
前記ブレンド物の前記加熱が約２０℃〜約６０℃で実施される、請求項１または請求項２に記載のプロセス。
【請求項１２】
前記ブレンド物の前記加熱が約３５℃〜約４５℃で実施される、請求項１または請求項２に記載のプロセス。
【請求項１３】
前記アミノ酸を添加する前に前記原料を処理することをさらに含む、請求項１または請求項２に記載のプロセス。
【請求項１４】
前記原料の前記処理が、細断、ブレンド、水とのブレンド、圧潰、汁液の抽出、粉砕、濾過、加圧、加熱、乾燥およびこれらの任意の組合せからなる群から選択される操作をさらに含む、請求項１３に記載のプロセス。
【請求項１５】
前記ブレンド物を濾過し、その結果として透過液を得ることをさらに含む、請求項１または請求項２に記載のプロセス。
【請求項１６】
前記ブレンド物の前記濾過が、前記ブレンド物を分画分子量が５，０００ダルトン以下の膜を通過させることをさらに含む、請求項１５に記載のプロセス。
【請求項１７】
前記ブレンド物に２回目の加熱を行うことをさらに含む、請求項１または請求項２に記載のプロセス。
【請求項１８】
前記ブレンド物の２回目の前記加熱が、約１０℃〜約１００℃の温度で実施される、請求項１７に記載のプロセス。
【請求項１９】
前記ブレンド物の２回目の前記加熱が、約５０〜８０℃の温度で実施される、請求項１７に記載のプロセス。
【請求項２０】
前記天然着色料を濃縮することをさらに含む、請求項１または請求項２に記載のプロセス。
【請求項２１】
前記アミノ酸、前記原料、前記天然着色料、およびこれらの任意の組合せからなる群に水を添加することをさらに含む、請求項１または請求項２に記載のプロセス。
【請求項２２】
前記ブレンド物に酵素を添加することをさらに含む、請求項１または請求項２に記載のプロセス。
【請求項２３】
前記酵素がβ−グルコシダーゼである、請求項２２に記載のプロセス。
【請求項２４】
前記天然着色料のｐＨを調整することをさらに含む、請求項１または請求項２に記載のプロセス。
【請求項２５】
前記天然着色料の前記ｐＨ調整が、塩基、酸およびこれらの任意の組合せからなる群から選択される化合物を前記天然着色料に添加することにより達成される、請求項２４に記載のプロセス。
【請求項２６】
前記天然着色料の前記ｐＨ調整が、前記アミノ酸の添加後、加熱後およびこれらの任意の組合せからなる群から選択される時点で行われる、請求項２４に記載のプロセス。
【請求項２７】
前記天然着色料の前記ｐＨ調整が、前記プロセス全体を通して連続的に行われる、請求項２４に記載のプロセス。
【請求項２８】
前記透過液が、ゲニピン、精製ゲニピン、ゲニピン前駆体化合物、イリドイド化合物、ゲニピン誘導体、前記ゲニピン含有化合物からなる群から選択される前記原料；前記第１級アミン含有化合物；前記ブレンド物；およびこれらの任意の組合せからなる群から選択される成分と混合される、請求項１５に記載のプロセス。
【請求項２９】
前記プロセスが有酸素状態で行われる、請求項１または請求項２に記載のプロセス。
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
エアロゾル捕捉のための方法であって、
液体燃料をチャンバ内に配置するステップであって、前記液体燃料は、少なくとも、ガソリン、ディーゼル、または航空燃料を含む、ステップと、
エアロゾルを前記チャンバ内の前記液体燃料に通すことにより、前記エアロゾルの１つ以上の成分の少なくとも一部を収集するステップであって、前記エアロゾルは、少なくとも１００秒の滞留時間を有する熱分解反応から生成される、ステップと、
少なくとも前記エアロゾルの１つ以上の成分の収集された部分を蒸留するステップであって、蒸留された前記エアロゾルの１つ以上の成分の収集された部分が、少なくともガソリン、ディーゼル、または航空燃料を含む、ステップと、
を含む方法。
【請求項２】
前記チャンバ内の前記液体燃料は、水を含む、請求項１に記載の方法。
【請求項３】
前記チャンバ内の前記液体燃料は、温度制御される、請求項１に記載の方法。
【請求項４】
前記チャンバ内の前記液体燃料は、らせんチューブ構成の内部に設けられる、請求項１に記載の方法。
【請求項５】
１つ以上のオーガが、前記チャンバ内の前記液体燃料の内部に設けられる、請求項１に記載の方法。
【請求項６】
前記チャンバ内の前記液体燃料が、蒸留された前記エアロゾルの１つ以上の成分の収集された部分で増強されるステップを、更に含む、請求項１に記載の方法。
【請求項７】
前記エアロゾルを前記チャンバ内の前記液体燃料に通すことが、前記チャンバ内の前記液体燃料の内部に設けられた固体材料のメッシュに通すことを、更に含む、請求項１に記載の方法。
【請求項８】
前記エアロゾルを前記チャンバ内の前記液体燃料に通すことが、前記チャンバ内の前記液体燃料の内部に設けられた複数のバッフルに関して、前記エアロゾルを前記チャンバ内の前記液体燃料に通すことを、更に含む、請求項１に記載の方法。
【請求項９】
前記エアロゾルを前記チャンバ内の前記液体燃料に通すことが、前記チャンバ内の前記液体燃料の内部に設けられた前記複数のバッフルの周囲に配置された固体材料のメッシュを介して、前記エアロゾルを前記チャンバ内の前記液体燃料に通すことを、更に含む、請求項１に記載の方法。
【請求項１０】
前記チャンバ内の前記液体燃料の残りの部分に関して、水を除去するステップを、更に含む、請求項１に記載の方法。
【請求項１１】
前記チャンバ内の前記液体燃料の残りの部分に関して、水を除去するステップであって、前記水は、前記チャンバ内の前記液体燃料の残りの部分と混ざらない、ステップを、更に含む、請求項１０に記載の方法。
【請求項１２】
前記チャンバ内の前記液体燃料の残りの部分に関して、水を除去するステップであって、前記水は、前記チャンバ内の前記液体燃料の残りの部分と混ざらず、重量測定で分離可能である、ステップを、更に含む、請求項１０に記載の方法。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
１種以上のレオロジー調節剤としてのマイクロフィブリル化セルロースを含有し、更に、バインダと、溶媒と、一次顔料と、１種以上の体質顔料とを含有する塗料組成物であって、
前記体質顔料が、カオリン、炭酸カルシウム及びタルクの内の１種以上であり、
前記マイクロフィブリル化セルロースが、該塗料組成物の全質量を基準として、約0.1％〜約10質量％の量で存在し、
前記塗料組成物が、同時処理された無機粒状物質を一次顔料及び体質顔料の少なくとも１種として含み、
前記塗料組成物が、前記マイクロフィブリル化セルロース以外のセルロース由来のレオロジー調節剤を含まず、
前記無機粒状物質が、前記マイクロフィブリル化セルロースの調製中に、セルロースを含む繊維状基体と同時処理されたものであり、
前記マイクロフィブリル化セルロースが、レーザー光散乱法で測定した場合に、約5μm〜約500μmのd50を有し、また約20〜約50の繊維スティープネスを有し、そして、
前記マイクロフィブリル化セルロースが、45μm以下の乾燥フィルムのウェットスクラブ抵抗性（ISO 11998に従って測定される）、約7.0未満の85度における光沢(ISO 2813に従って測定される)の低下、約5.8未満のバーニッシュ(Burnish)(85度における)の低下、及び少なくとも約1,000μmのマッドクラック厚からなる群から選択される塗料組成物の１種以上の特性を、レオロジー調節剤としてマイクロフィブリル化セルロースを含まない等価の塗料組成物と比較して、改善することを特徴とする塗料組成物。
【請求項２】
前記バインダが、ラテックスバインダであり、前記溶媒が、水である、請求項１記載の塗料組成物。
【請求項３】
艶消し塗料を含む意匠性塗料として使用するためにフォーミュレートされている、請求項１に記載の塗料組成物。
【請求項４】
前記マイクロフィブリル化セルロースが、少なくとも約100の高剪断速度（１／ｓ）における塗料粘度(ISO 2884-1に従って測定し得る)を維持し、かつ、約10以下の低剪断速度における塗料粘度をかなり増大させることにより、該塗料組成物の安定性及び耐ドリップ性を改善する、請求項１に記載の塗料組成物。
【請求項５】
前記１種以上の体質顔料が、アルカリ土類金属炭酸塩及び硫酸塩、並びにそれらの混合物からなる群から選択される請求項１に記載の塗料組成物。
【請求項６】
前記体質顔料が、炭酸カルシウム、炭酸マグネシウム、ドロマイト、石膏、含水カンダイト粘土、無水カンダイト粘土、タルク、マイカ、パーライト、長石、カスミ石閃長岩、ウォラストナイト、珪藻土、バライト、ガラス、天然シリカ、合成シリカ、天然シリケート及び合成シリケートからなる群から選択される請求項１に記載の塗料組成物。
【請求項７】
前記一次顔料が、液状ビヒクルに分散された場合に色彩を提供する、微粉砕された天然又は合成の無機又は有機の不溶性分散粒子からなる群から選択される、請求項１に記載の塗料組成物。
【請求項８】
前記一次顔料が、二酸化チタン、カーボンブラック、硫酸カルシウム、酸化鉄及び銅-錯体フタロブルーからなる群から選択される請求項１に記載の塗料組成物。
【請求項９】
前記一次顔料のセディグラフにより測定した平均粒径(d50)が、約0.1μm〜約20μmである請求項１に記載の塗料組成物。
【請求項１０】
前記体質顔料のセディグラフにより測定した平均粒径(d50)が、約0.1μm〜約20μmである請求項１に記載の塗料組成物。
【請求項１１】
前記同時処理された無機粒状物質のセディグラフにより測定した平均粒径(d50)が、約0.1μm〜約20μmである請求項１に記載の塗料組成物。
【請求項１２】
前記同時処理された無機粒状物質が、アルカリ土類金属炭酸塩及び硫酸塩からなる群から選択される請求項１に記載の塗料組成物。
【請求項１３】
前記同時処理された無機粒状物質が、炭酸カルシウム、炭酸マグネシウム、ドロマイト、石膏、含水カンダイト粘土、カオリン、ハロイサイト、ボールクレー、無水(焼成)カンダイト粘土、メタカオリン、十分に焼成されたカオリン、タルク、マイカ、パーライト、長石、カスミ石閃長岩、ウォラストナイト、珪藻土、バライト、ガラス、及び天然又は合成シリカ又はシリケートからなる群から選択される請求項１に記載の塗料組成物。
【請求項１４】
前記マイクロフィブリル化セルロースが、更に、湿式条件下にてホモジナイザー中で処理される請求項１に記載の塗料組成物。
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
前扉を備えた遊技機であって、
前記前扉に設けられる上皿と、
前記上皿の前方を飾る装飾を有し、前記前扉の前方に膨出するように構成された膨出部と、
前記膨出部に形成された配置領域に配置される所定の操作装置と、を備え、
前記配置領域には、少なくとも前記膨出部の前面側の一部が開口された領域が含まれており、
前記上皿の底面は、前記配置領域の内方に向けて突出しており、
前記配置領域から前記操作装置が取り外された状態にて、外部から前記配置領域を通じて前記上皿の少なくとも一部が視認可能である
ことを特徴とする遊技機。
【手続補正２】
【補正対象書類名】明細書
【補正対象項目名】０００３
【補正方法】変更
【補正の内容】
【０００３】
このような遊技機として、正面視における遊技領域の下方に、遊技領域内に打込むための遊技媒体が貯留される皿部を備えているものが知られている。（例えば、特許文献１）
【手続補正３】
【補正対象書類名】明細書
【補正対象項目名】０００５
【補正方法】変更
【補正の内容】
【０００５】
しかしながら、このような皿部を備える遊技機においては、皿部付近の構造として、より好適なものが求められている。
【手続補正４】
【補正対象書類名】明細書
【補正対象項目名】０００６
【補正方法】変更
【補正の内容】
【０００６】
そこで、本発明は、皿部付近に関して好適な構成を提案するものである。
【手続補正５】
【補正対象書類名】明細書
【補正対象項目名】０００７
【補正方法】変更
【補正の内容】
【０００７】
本発明は、
前扉を備えた遊技機であって、
前記前扉に設けられる上皿（上皿３２１）と、
前記上皿の前方を飾る装飾を有し、前記前扉の前方に膨出するように構成された膨出部（皿ユニットカバー３２６）と、
前記膨出部に形成された配置領域（取付空間３２６ｊ）に配置される所定の操作装置（段落００６９の記載および、演出装飾回転体ユニット５３０）と、を備え、
前記配置領域には、少なくとも前記膨出部の前面側の一部が開口された領域が含まれており、
前記上皿の底面は、前記配置領域の内方に向けて突出しており、
前記配置領域から前記操作装置が取り外された状態にて、外部から前記配置領域を通じて前記上皿の少なくとも一部が視認可能である（例えば、段落０１６７の記載および図６、図４１〜図４４等を参照）
ことを特徴とする。
【手続補正６】
【補正対象書類名】明細書
【補正対象項目名】０００８
【補正方法】変更
【補正の内容】
【０００８】
本発明によれば、皿部付近に関して好適な構成を提供することができる。